(57)【要約】      （修正有）【課題】手術後に患者から円滑に取り外すことができるとともに繰り返しの使用が可能であり、なおかつ手術時の清潔状態を良好に保つことができるサージカルドレープ提供する。【解決手段】平布にて形成したドレープ本体１に患部を露出可能とする開口部２を配置したものにおいて、この開口部２からドレープ本体１の一辺側に向けて直線状の分離部３を形成するとともに、この分離部３によって形成された一対の対向片６を重ね合わせ可能に形成し、この一対の対向片６には互いに係合可能な接続具８を各々設け、両対向片６を重ね合わせた状態で接続具８を係合することにより着脱自在に接続可能とするとともに、少なくとも重ね合わせた際に患部側に配置される一方片には、接続具８を設けた状態の裏面に防水布を被覆配置する。【選択図】図１
0003191077.tif 000002
【実用新案登録請求の範囲】
【請求項１】
平布にて形成したドレープ本体に患部を露出可能とする開口部を配置したものにおいて、この開口部からドレープ本体の一辺側に向けて直線状の分離部を形成するとともに、この分離部によって形成された一対の対向片を重ね合わせ可能に形成し、この一対の対向片には互いに係合可能な接続具を各々設け、両対向片を重ね合わせた状態で接続具を係合することにより着脱自在に接続可能とするとともに、少なくとも重ね合わせた際に患部側に配置される一方片には、接続具を設けた状態の裏面に防水布を被覆配置したことを特徴とするサージカルドレープ。
【請求項２】
一方片と対になる他方片は、裏面に防水布を設けたことを特徴とする請求項１のサージカルドレープ。
【請求項３】
分離部は、開口部の中心線の延長線上に配置したことを特徴とする請求項１のサージカルドレープ。
【請求項４】
他方片には、一方片に係合可能な係合片を裏面開口部側に設けたことを特徴とする請求項１のサージカルドレープ。
【考案の詳細な説明】
【技術分野】
【０００１】
本考案は、手術の際に患者に被覆するサージカルドレープに関するものである。
【背景技術】
【０００２】
従来より、サージカルドレープは、手術の際に患者の患部外周を被覆するものであって、術野の清潔の保持、患者の血液や体液等の飛散による感染防止等のために使用されている。
【０００３】
そして従来のサージカルドレープは、平布にて形成したドレープ本体に患部を露出可能とする開口部を配置したものであって、術野の清潔を保ちながら開口部を介して施術を行うものである。尚、場合によっては開口部を介して患部にカテーテル等を挿入する処置がとられることもある。
【先行技術文献】
【特許文献】
【０００４】
【特許文献１】実開平６−５２８０８号公報
【考案の開示】
【考案が解決しようとする課題】
【０００５】
しかしながら、上記の如くサージカルドレープの開口部を介してカテーテル等を患部に挿入した場合には、このカテーテルの存在によって患者からサージカルドレープを取り外すことが困難となる。また、術野の清潔を保つために、サージカルドレープを患者から取り外す際には、手術中に付着したサージカルドレープの不潔部分や血液や組織等が術野を通過又は接触しないよう細心の注意を払う必要がある。
【０００６】
また、手術中の術式変更で止むを得ず拡大手術となり開口部を広げる必要が生じた場合には、従来はサージカルドレープを切断して開口部を広げるか、あるいはより広い開口部を設けたサージカルドレープと交換する必要があった。しかし、開口部を広げるためにサージカルドレープを切断した場合には、繰り返しの使用が困難となる。また、より広い開口部のサージカルドレープと交換する場合には、それまで使用していたサージカルドレープを患者から取り外す際に、上述の如く手術中に付着したサージカルドレープの不潔部分や血液や組織等が術野を通過又は接触するおそれがあった。
【０００７】
また、上述の如く手術中に付着したサージカルドレープの不潔部分や血液や組織等が術野を通過又は接触する事態を回避するために、従来より特許文献１に示す如く予めサージカルドレープに形成したミシン目を手術後に切断したり、サージカルドレープを直接はさみで切断する等して患者からサージカルドレープを取り外す作業が行われていた。
【０００８】
しかしながら、上記の如くサージカルドレープを切断してしまうと、サージカルドレープを繰り返し使用することができなくなるためコストが高くつくものとなっていた。また、特許文献１に示す如くサージカルドレープにミシン目を入れた場合には、患部からサージカルドレープの表面に流出した患者の体液や血液がミシン目から再び患者側に流入する可能性があり衛生面で問題が生じるおそれがあった。
【０００９】
そこで、本考案は上述の如き課題を解決しようとするものであって、手術後に患者から円滑に取り外すことができるとともに繰り返しの使用が可能であり、なおかつ手術時の清潔状態を良好に保つことができるサージカルドレープを得ようとするものである。
【課題を解決するための手段】
【００１０】
本考案は上述の如き課題を解決するため、平布にて形成したドレープ本体に患部を露出可能とする開口部を配置したものにおいて、この開口部からドレープ本体の一辺側に向けて直線状の分離部を形成するとともに、この分離部によって形成された一対の対向片を重ね合わせ可能に形成し、この一対の対向片には互いに係合可能な接続具を各々設け、両対向片を重ね合わせた状態で接続具を係合することにより着脱自在に接続可能とするとともに、少なくとも重ね合わせた際に患部側に配置される一方片には、接続具を設けた状態の裏面に防水布を被覆配置したものである。
【００１１】
また、一方片とは対になる他方片は、裏面に防水布を設けたものであっても良い。
【００１２】
また、分離部は、開口部の中心線の延長線上に配置したものであってもよい。
【００１３】
また、他方片には、一方片に係合可能な係合片を裏面開口部側に設けたものであってもよい。
【考案の効果】
【００１４】
本考案は上述の如く構成したものであるから、手術後に切断することなく一対の対向片を開くことによってサージカルドレープを患者からスムーズに取り外すことができるため、作業を効率的に行うことができるとともに、繰り返しの使用が可能となりコストを低く抑えることができる。また、サージカルドレープを切断せずに分離部を開くことによって開口部の開口領域を広げることができるため、サージカルドレープを交換するための手間を要することなく、手術を効率的に行うことができる。
【００１５】
また、上記の如く少なくとも接続具を設けた状態の一方片の裏面に防水布を被覆配置することにより、接続具と布地との間に形成された隙間等からの体液の流通を防ぐことができる。そのため、簡易な構成で術野の清潔を良好に保つことが可能となり、低廉なコストで性能の良いサージカルドレープを得ることができる。
【図面の簡単な説明】
【００１６】
【図１】本考案の実施例１を示す平面図。
【図２】実施例１において、一対の対向片の表側を示す部分拡大平面図。
【図３】実施例１において、一対の対向片の裏側を示す部分拡大平面図。
【図４】実施例１において、一対の対向片を重ね合わせた状態の裏側を示す部分拡大平面図。
【図５】図２のＡ−Ａ線断面図。
【図６】図２のＢ−Ｂ線断面図。
【図７】実施例２の平面図。
【００１７】
本考案の実施例１について説明すると、(１)はドレープ本体であって、平布にて形成したものである。そして、図１に示す如くドレープ本体(1)に患部を露出可能とする開口部(2)を配置し、この開口部(2)からドレープ本体(1)の一辺まで連続して分離した分離部(3)を形成している。このように分離部(3)を設けることにより、一方片(4)と他方片(5)とから成る一対の対向片(6)が形成される。尚、この分離部(3)は、一端(7)を図１の一点鎖線に示す開口部(2)の中心線(12)の延長線上に沿って形成している。
【００１８】
また、上記一対の対向片(6)は、図２〜４に示す如く一方片(4)と他方片(5)とが重なりあうよう一方片(4)を分離部(3)から他方片(5)側に延設している。尚、本考案では対向片(6)を重ね合わせた状態で患者側に配置される方を一方片(4)としている。そして、この一方片(4)の表面(15)には、ドットボタンである一方接続具(10)を２列平行に固定配置するとともに、この一方接続具(10)に接続可能な他方接続具(11)を、他方片(5)の裏面(17)に固定配置している。
【００１９】
また、上記の如く一方接続具(10)を設けた一方片(4)の患部側となる裏面(16)には、図３〜５に示す如く防水布(13)を被覆配置している。このように一方接続具(10)を設けた状態の一方片(4)の裏面(16)に防水布(13)を被覆配置することにより、接続具(8)と平布との間に穴や隙間が生じた場合でも、防水布(13)の存在によって一方片(4)と患部との間の体液等の流通を阻止することができる。そのため、簡易な構成で術野の清潔を良好に保つことが可能となり、低廉なコストで性能の良いサージカルドレープを得ることができる。
【００２０】
また、他方片(5)については図３、６に示す如く患部側となる裏面(17)側を防水布(14)にて形成し、この状態で他方接続具(11)を設けている。また上記の如く一方片(4)と他方片(5)とを重ね合わせて一方接続具(10)と他方接続具(11)とを接続することにより、一方片(4)と他方片(5)とが重なりあった状態で接続固定されるものとなる。このように他方片(5)の裏面(17)側にも防水布(14)を設けるとともに、一方片(4)と他方片(5)とを重ね合わせて接続することにより、外部又は内部からの血液、体液や生理食塩水等、液体の流出入を更に確実に防ぐことができる。
【００２１】
尚、上記一方接続具(10)及び他方接続具(11)は電気メスによる熱傷の影響を防ぐため、金属製のものを使用する場合は直接患者の皮膚に触れない位置で係合する構成とする必要がある。また、一方片(4)への一方接続具(10)の配置間隔、及び他方片(5)への他方接続具(11)の配置間隔は、一方接続具(10)と他方接続具(11)とが接続された状態で、一方片(4)と他方片(5)とを互いに離反方向に引っ張った際に、一方片(4)と他方片(5)との間に隙間が形成されることなく患者の術野以外の不潔部分が見えにくい間隔とする必要がある。
【００２２】
また、図３に示す如く他方片(5)の裏面(17)側には、開口部(2)の端縁(18)に沿って係合片(20)を設けている。この係合片(20)は、開口部(2)側の一側のみを開口部(2)の端縁(18)に沿って縫い付け、他側を自由端とするものである。そして、一方片(4)と他方片(5)とを重ね合わせて一方接続具(10)と他方接続具(11)とを接続した際に、この係合片(20)を一方片(4)の裏面(16)側に配置し、図４に示す如く係合片(20)と他方片(5)との間に一方片(4)を挟み込んだ状態とする。
【００２３】
このように係合片(20)を設けて一方片(4)に係合することにより、一方片(4)及び他方片(5)の開口部(2)側で、一方片(4)と他方片(5)との間に隙間ができるのを防止することができ清潔を保持することができる。
【００２４】
また手術後には、一方接続具(10)と他方接続具(11)との接続を解除することによりサージカルドレープを患者から取り外すことができる。そのため、開口部(2)を介して患部にカテーテル等が挿入されている場合でも、サージカルドレープを切断することなくカテーテルを挿入した状態で患者からサージカルドレープを容易に取り外すことができる。
【００２５】
また、一方接続具(10)と他方接続具(11)との接続を解除して一方片(4)と他方片(5)とを大きく拡開させて分離することにより、手術中にサージカルドレープに付着した血液や組織等が術野に接触することなくサージカルドレープを患者から取り外すことができるため、術野の清潔を確実に保持することが可能となる。
【００２６】
従って、手術後、あるいは手術中に術式変更を行う場合でも、サージカルドレープを取り外す作業を効率的に行うことができ、手術を円滑に進めることが可能となる。また、一方接続具(10)と他方接続具(11)との接続を一部解除し、分離した一方片(4)と他方片(5)とを折り返すことにより、開口部(2)の開口領域を更に広げることが可能となる。
【００２７】
このようにドレープ本体(1)を切断することなく開口部(2)の開口領域を広げることができることから、使用したサージカルドレープの繰り返しの使用が可能となるとともに、サージカルドレープを交換する必要がなく術野の清潔を確実に保持することができ、また交換のための手間がかからず手術を効率的に行うことができる。
【実施例１】
【００２８】
また、上記実施例１では図１に示す如く、開口部(2)からドレープ本体(1)の一辺まで連続して分離しているが、本実施例２では図７に示す如く、開口部(2)からドレープ本体(1)の途中まで分離して分離部(3)を形成している。
【００２９】
尚、本実施例及び上記実施例１では接続具(8)としてドットボタンを使用しているが、他の異なる実施例ではこれに限らず、接続具(8)として面ファスナー、線ファスナー、両面テープ等を使用することもできる。
【符号の説明】
【００３０】
１  ドレープ本体
２  開口部
３  分離部
４  一方片
５  他方片
６  対向片
８  接続具
１０  一方接続具
１１  他方接続具
１２  中心線
１３  防水布
１４  防水布
１６  裏面
１７  裏面
２０  係合片       
【図１】
0003191077.tif 000003
【図２】
0003191077.tif 000004
【図３】
0003191077.tif 000005
【図４】
0003191077.tif 000006
【図５】
0003191077.tif 000007
【図６】
0003191077.tif 000008
【図７】
0003191077.tif 000009